(57)【要約】  ピアス孔に貫通させるための心棒（１）と係合部材（５）とを備え，前記心棒（１）は着脱可能セグメント（１１８）と，前記着脱可能セグメント（１１８）を受容するためのホルダ（１０１）とを備え，前記着脱可能セグメント（１１８）は，他方の前記ホルダ（１０１）と一直線上にあり， 前記セグメント（１１８）は前記ホルダ（１０１）との対向端部に装飾モチーフを支持することが意図され，前記ホルダ（１０１）は前記係合部材（５）と協動し，前記係合部材（５）は前記セグメント（１１８）と対向する前記ホルダ（１０１）の一端（３）で蝶着され，前記係合部材（５）が，前記心棒（１）の一直線上にある第１の位置と，前記係合部材（５）が前記心棒（１）に対して略直角に位置する第２の位置とを取り，弾性部材（９）は前記ホルダ（１０１）及び前記係合部材（５）と係合し，前記第１及び第２の位置の安定性を確実にすることを特徴とする，人体に形成されたピアス孔に嵌合する装置。
2013528456.tif 000002
【特許請求の範囲】
【請求項１】
ピアス孔に貫通させるために設計された心棒（１）と係合部材（５）とを備え，前記心棒（１）は着脱可能セグメント（１１８）と，前記着脱可能セグメント（１１８）を受容するための支持体（１０１）とを備え，前記着脱可能セグメント（１１８）は，他方の前記支持体（１０１）の延長部にあり，前記セグメント（１１８）は前記支持体（１０１）との対向端部に装飾モチーフを支持するために設けられ，前記支持体（１０１）は前記係合部材（５）と協動し，前記係合部材（５）は前記セグメント（１１８）と対向する前記支持体（１０１）の一端（３）で連結され，前記係合部材（５）が，前記心棒（１）の延長部にある第１の位置と，前記係合部材（５）が前記心棒（１）に対して実質的に直角に位置する第２の位置とを決定し，弾性部材（９）は前記支持体（１０１）及び前記係合部材（５）と協動し，前記第１及び第２の位置の安定性を確実にすることを特徴とする，人体に形成されたピアス孔に配置する装置。
【請求項２】
前記セグメント（１１８）と対向する前記支持体（１０１）の前記端部（３）が平坦な形状を有し，前記係合部材（５）の２つの平行軸延長部（４）の間で係合し，前記平坦な端部（３）及び前記２つの延長部（４）が，ヒンジピン（８）が貫通する互いに対向して配置される開口部（６，７）を有することを特徴とする請求項１記載の装置。
【請求項３】
前記弾性部材（９）は，前記係合部材（５）の空洞内に軸方向に収容された圧縮バネ（９）により形成され，前記バネ（９）は，前記空洞の底部に支持する第１端部と，少なくとも間接的に前記支持体（１０１）の前記平坦な端部（３）と係合する第２端部とを含むことを特徴とする請求項２記載の装置。
【請求項４】
前記空洞の前記底部が，前記バネ（９）の前記第１端部の支持点を形成する球状先端（１１９）を含むことを特徴とする請求項３記載の装置。
【請求項５】
前記圧縮バネ（９）の前記第２端部と前記支持体（１０１）の前記平坦な部分（３）との間に挿入されたピストン（１０）を備えることを特徴とする請求項３又は４記載の装置。
【請求項６】
前記支持体（１０１）と対向する前記セグメント（１１８）の前記端部が装飾要素（２）を備えることを特徴とする請求項１〜５いずれか１項記載の装置。
【発明の詳細な説明】
【発明の詳細な説明】
【０００１】
本発明は宝飾部品，更に具体的には，人体の特定の部位（耳朶，口，鼻孔等）に形成したピアス孔へ挿入及び固定するためのスタッドイヤリング及び他の宝飾部品に関する。
【０００２】
このタイプの周知の宝飾部品は一般的に，装飾するピアス孔へ挿入するための心棒及び装飾要素（例えばダイヤモンド）に固定された可視端から形成され，他端（不可視）は分離可能な係合部材，例えば心棒の端のねじ山に螺合するナットを受容するためのものであり，定位置に宝飾部品を保持する。
【０００３】
これらの周知の宝飾部品は，その用途のために小型であり，その係合部材は非常に小さいという短所を有し，そのため，前記係合部材を心棒の端部に配置する操作が，特に見えない（耳裏）又は接触できない（鼻孔，口等）場所でそれを行う場合に困難である。更に，この係合部材は非常に小型であるため，心棒から分離する場合に紛失する危険性が高い。
【０００４】
本発明は前記短所を解決することを目的とし，人体に形成したピアス孔に装着するための装置を提案するものであり，その固定は，一旦定位置に取り付ければ，見えない場合或いは接触が困難な場合でも，非常に容易かつ確実に行われ，宝飾部品が小型でも，その要素の一部を紛失する危険性が無い。
【０００５】
そのため，人体に形成したピアス孔に配置するための本発明の装置は，前記ピアス孔を貫通するように設計された心棒を備え，前記心棒は，ピアス孔に挿入した後に露出する端部に装飾要素を有し，前記心棒の他端は，挿入位置に前記心棒を保持し，必要に応じて取り外すことができる係合部材と協動する。前記係合部材は前記心棒の前記他端に連結され，それにより，前記心棒の延長部にあり，ピアス孔に前記心棒を配置する或いは前記ピアス孔から前記心棒を取り外すことが可能な第１の位置と，前記係合部材が心棒に対して実質的に直角に位置し，後部が前記ピアス孔から外れることを防止する第２の位置とを決定し，弾性部材は前記心棒と協働して，前記係合部材は前記後部の前記２つの位置の安定性を確実にする。
【０００６】
したがって，係合部材を心棒に対して直角に傾斜することのみが必要で，確実に固定できる正しい配置に保持しなければならない分離部材を操作することが不要であることから，本発明の宝飾部品は単一部品から成り，分離可能な要素が無く，そのため，紛失の危険性が無く，取り扱いの困難性も無いことが理解されるであろう。１つの有利な実施態様によると，装飾モチーフを支持する前記心棒の対向端部は，前記係合部材の２つの平行軸延長部の間で係合する平坦形状を有し，前記心棒の前記平坦な端部及び前記係合部材の前記２つの延長部は，ヒンジピンが貫通する対向する開口部を有する。
【０００７】
本発明の第１の実施態様によると，前記弾性部材は前記係合部材の空洞内に軸方向に収容された圧縮バネにより形成され，このバネは一端で前記空洞の底部と係合し，他端で前記心棒の連結部と（場合によりピストン挿入によって）係合する。
【０００８】
本発明の別の実施態様によると，前記弾性部材は前記係合部材のハウジングに軸方向に配置された板バネから成り，前記板バネの一端は前記ハウジングに固定され，前記板バネの対向端は傾斜部分を有し，保持位置で前記心棒の前記平坦部分の傾斜端と係合する。
【０００９】
別の実施態様によると，人体に形成したピアス孔に配置する前記装置は，前記ピアス孔に貫通させるための心棒と係合部材とを備え，前記心棒は，着脱可能セグメントと，前記着脱可能セグメントを互いの延長部で受容するための支持体とを備え，前記セグメントは前記支持体との対向端部に装飾モチーフを支持するために設けられ，前記支持体は前記係合部材と協動し，前記係合部材は前記セグメントと対向する前記支持体の一端に連結し，それにより，前記係合部材が前記心棒の延長部にある第１の位置と，前記係合部材が前記心棒に対して実質的に直角に位置する第２の位置とを決定し，弾性部材が前記支持体及び前記係合部材と協動して，前記第１及び第２の位置の安定性を確実にすることを特徴とする。前記セグメントと対向する支持体の端部は平坦な形状を有し，前記係合部材の２つの平行軸延長部の間で係合することが有利であり，前記平坦な端部及び前記２つの延長部は，ヒンジピンが貫通する互いに対向する開口部を有する。
【００１０】
前記弾性部材は，前記係合部材の空洞に軸方向に収容された圧縮バネにより形成することも可能であり，前記バネは前記空洞の底部に支持する第１端部と，少なくとも間接的に前記支持体の前記平坦な端部と係合する第２端部とを含む。前記空洞の前記底部は，前記バネの前記第１端部のための支持を形成する球状端部を含んでもよい。前記装置が，前記圧縮バネの第２端部と前記支持体の前記平坦な部分との間に挿入されたピストンを備え得ることは有利である。
【００１１】
前記支持体と対向する前記セグメントの前記端部は，装飾要素を備えてもよい。
【００１２】
本発明の更なる理解のために，添付概略図を参照して，２つの好適な実施態様を非限定的な例として記載する。
【図面の簡単な説明】
【００１３】
【図１】本発明の第１の実施態様による，ピアス孔に配置するための宝飾部品の側面図であり，その係合部材が非動作位置にある宝飾部品を示す図；
【図２】図１の宝飾部品の正面図；
【図３】図１に対応し，係合部材の内部に収容されたバネを示す切断図を有する図；
【図４】図２に対応し，係合部材の内部に収容されたバネを示す切断図を有する図；
【図５】図３に対応するが，宝飾部品を固定する動作位置にある係合部材を示す図；
【図６】本発明の宝飾部品の第２の実施態様の側面図であり，非動作位置にある係合部材を示し，係合部材内部に収容された板バネを示す切断図を有する図；
【図７】図６に対応する切断図を有する正面図；
【図８】図６及び図７の宝飾部品の要素を構成する心棒の側面図；
【図９】図６に対応するが，宝飾部品の固定位置にある係合部材を示す図；
【図１０】本発明の第１の実施態様による，ピアス孔に配置するための宝飾部品の側面図であり，その係合部材が非動作位置にある宝飾部品を示す図；
【図１１】図１０の宝飾部品の正面図；
【図１２】図１０に対応するが，係合部材の内部に収容されたバネを示す切断図を有する図；
【図１３】図１１に対応するが，係合部材の内部に収容されたバネを示す切断図を有する図；及び
【図１４】図１２に対応するが，宝飾部品を固定する動作位置にある係合部材を示す図。
【００１４】
図１〜図５は，例えば耳朶に形成されたピアス孔に配置するための心棒１を備える，本発明の宝飾部品の第１の実施態様を示す。心棒１は，可視端（耳に隠れていない）に，装飾モチーフ（図示せず），例えばダイヤモンドを確実に固定するハウジングとして機能する分岐アーム２を含む。
【００１５】
心棒１の対向端部は，２つの対向する面で平坦な部分３を形成し，これらは，中空の円筒状係合部材５の外壁の２つの平行な延長部４の間で係合する。その位置で，係合部材５の延長部４に形成された対向する開口部７に，心棒１の部分３の横開口６が進入し，ピン８が開口６，７に取り付けられ，ヒンジアセンブリにより，心棒１と係合部材５とを連結する。
【００１６】
特に図３〜図５に示すように，圧縮バネ９は，係合部材５の本体の内部に，軸方向に配置される。係合部材５に固定された横ピンに，心棒１に対向して位置するバネ９の一端が掛止され，バネ９の他端が，係合部材５の外側に突出するピストンを形成する部品１０に掛止され，心棒１の端部３と係合する。図１〜図４に示す第１の位置では，心棒１及び係合部材５は，耳朶のピアス孔に心棒１を配置又は前記ピアス孔から前記心棒１を取り外すことができる整列位置にあり，この位置では，ピストン１０が心棒１の平坦部分３の端部表面と係合し，心棒１及び係合部材５の整列位置が安定するため，この操作が更に容易に行われることを理解されたい。このように挿入された心棒１を確実に保持するためには，係合部材５が心棒１に対して直角に位置する図５に示す位置において，ピン８の周囲で係合部材５を傾斜させれば十分である。バネ９の作用下で，ピストン１０が心棒１の端部３の側面と係合することにより，係合部材５はこの新たな位置に安定的に保持される。
【００１７】
図６〜図９に示す発明の第２の実施態様によると，圧縮バネ９は，係合部材５内に軸方向に収容した板バネ１１と置換される。板バネ１１は，心棒１に対向するその一端において，係合部材５に固定された横ピン１３と係合する切欠き１２を上部に有し，一方，板バネ１１は，その他端において，実質的に平坦な部分１５に終端する下部に傾斜形状１４を有する。
【００１８】
図８に示すように，心棒１の平坦な端部３は上部より下部の方が長く，したがって，傾斜端面１６に終端する。更に，心棒１の平坦な端部３の延長した上部は縦溝１７を有する。心棒１と係合部材５とが整列した，図６及び図７に示す係合部材５の非動作位置では，板バネ１１が，その平坦な端部１５が心棒１の端部の延長部を押圧し，溝１７の内部で係合することを理解されたい。したがって，この整列位置は耳朶のピアス孔へのアセンブリの挿入，又は取り外しを容易にすると共に，安定性を維持する。この挿入の後，係合部材５を９０度傾斜することにより，その保持位置に到達することが可能となる（図８）。その後，この位置は，板バネ１１の傾斜部分１４が心棒１の平坦な端部３の傾斜端部面１６に支持されることにより，安定的に保持される。
【００１９】
図１０〜図１４は，着脱可能セグメント１１８から形成される心棒１と，ネジ止め又はスナップ止めにより着脱可能セグメント１１８を受容する支持体１０１とを備える本発明の宝飾部品の第３の実施態様を示す。２つの実質的に整列した部分１０１，１１８から成るこの心棒１は，形成されたピアス孔，例えば耳朶に配置することが意図される。着脱可能セグメント１１８の可視端（耳に隠れていない）は，装飾モチーフ（図示せず）を固定するためのリング，ベゼル（図示せず）等の様々な宝飾要素を受容する平坦面１０２を含む。
【００２０】
着脱可能セグメント１１８と対向する支持体１０１の端部は，２つの対向する面で平坦にされた部分３を有し，中空の円筒状係合部材５の外壁の２つの平行な延長部４の間で係合しており，ピン８が開口６，７に取り付けられ，ヒンジアセンブリにより，支持体１０１と係合部材５とを連結する。
【００２１】
支持体１０１の部分３に，中心切欠き１２１が形成される。中空の円筒状部材５の部分４に，シースとも呼ばれる平坦部２４が形成される。
【００２２】
図１２及び図１４で更に具体的に示すように，圧縮バネ９は係合部材５の本体の内部で軸方向に配置される。支持体１０１に対向して位置するバネ９の端部は，溝孔の有無に関わらず，球状先端１１９を有するピンに支持される。ねじ止め又はスナップ止め，或いは嵌合又は接着のいずれかにより，球状先端１１９を係合部材５に連結する。
【００２３】
球状先端を有するピン１１９に対向して位置するバネ９の端部は，心出し中間ピン１２５に支持され，係合部材５の外側に突出するピストンを形成する部品１０に同様に支持され，支持体１０１の端部３と係合する。
【００２４】
図１０〜図１２に示す第１の位置において，心棒１及び係合部材５は，耳朶のピアス孔に心棒１を配置する，又はピアス孔から取り外すことができる整列位置にあり，その位置で，ピストン１０が心棒１の平坦部分３の端部表面と係合し，心棒１及び係合部材５のこの整列位置が安定することから，この操作はすべて更に容易に行われることを理解されたい。
【００２５】
このように挿入された心棒１を保持するには，支持体１０１の端部３の僅かに傾斜した側面１２２のバネ９の作用下で，ピストン１０による係合によって，この新たな配置で係合部材５が安定的に保持される図１４に示す配置において，ピン８の周囲で係合部材５を傾斜させることで十分である。
【００２６】
非限定的に，心棒１及び係合部材５の直径を９／１０mmに，ヒンジピン８の直径を３／１０mmにすることも可能であることを示す。
【００２７】
前記記載は非限定的な例として提供され，本発明の範囲を逸脱することなく，構造的な追加又は変更がなされ得ることを理解されたい。
【図１】
2013528456.tif 000003
【図２】
2013528456.tif 000004
【図３】
2013528456.tif 000005
【図４】
2013528456.tif 000006
【図５】
2013528456.tif 000007
【図６】
2013528456.tif 000008
【図７】
2013528456.tif 000009
【図８】
2013528456.tif 000010
【図９】
2013528456.tif 000011
【図１０−１１】
2013528456.tif 000012
【図１２】
2013528456.tif 000013
【図１３】
2013528456.tif 000014
【図１４】
2013528456.tif 000015
【国際調査報告】
2013528456.tif 000016
2013528456.tif 000017
2013528456.tif 000018
2013528456.tif 000019